(57)【要約】      （修正有）【課題】著しく拡張された動作パワーリザーブを有する機械式時計のための時計用ムーブメント、ならびに、動作パワーリザーブの増長を達成する。【解決手段】香箱から与えられるトルクを削減して、テンプの振動振幅を低減させ、結果としてムーブメントの動作のためのパワーリザーブを拡張させるための装置を含み、数日後、一週間後さらにはそれ以上の時間が経過した後に、その間に時計を巻上げることなく日付表示が更新されていて自らの時計が動作状態にあることをユーザーが認識するような形で、時計の特徴に応じて延長率が定義づけされている、時計用ムーブメントおよび機械式時計であり、トルク変更用装置は、製造が単純かつ容易である。それは、時計の外部からアクセス可能であり、動作状態は、時計の外部から可視の針などによって標示可能である。【選択図】図１
2014041127.tif 000002
【特許請求の範囲】
【請求項１】
機械式時計用のムーブメントであって、エネルギー源として香箱内に収容されたゼンマイバネを含み、香箱が、調速用機構としてのテンプを含むオシレータに対して歯車列を介してバネのエネルギーを伝達しているムーブメントであって、パワーリザーブに有利に作用するように香箱から与えられるトルクを削減できるようにする機構を含むことを特徴とする、時計用ムーブメント。
【請求項２】
香箱と歯車列の間に遊星歯車列を含み、香箱から与えられるトルクを変更するために、歯車装置の減速比が、その歯車の一方または他方をブロックすることによって、与えられるトルクを削減するように修正されることを特徴とする、請求項１に記載の時計用ムーブメント。
【請求項３】
香箱がその二つの平行な面上に、異なる直径の二つの車を担持していること、および、香箱車の一方または他方に適応した直径を有する二つの従動車は、香箱車の一方または他方に選択的に係合することができ、平行に配置されて、香箱により生成されるトルクの二つのレベルの供給が得られるようになっていることを特徴とする、請求項１に記載の時計用ムーブメント。
【請求項４】
太陽歯車（５８）と連動する歯を有する、香箱（５２）に後に続く遊星歯車列（５４、５６、５８）を含み、香箱（５２）の丸穴車（５４）が香箱（５２）と連動し、遊星歯車（５６）は、香箱の連動軸上で枢動できること、および、低エネルギー供給動作モードにおいて、丸穴車（５４）はもはや香箱に連動しておらず、ムーブメントの連動点に固定され、丸穴車を不動状態にしていることを特徴とする、請求項１に記載の時計用ムーブメント。
【請求項５】
香箱（５２）の丸穴車（５４）が一つ以上の爪（６８）と共働することができる三角形の外歯を有し、一つまたは複数の爪（６８）のならびに遊星歯車（５６）の回転軸は香箱（５２）と連動していること、および、低エネルギー供給動作モードにおいて、制御フィンガ（６６、７２）が、香箱の丸穴車を不動状態にできるような形で配置されていることを特徴とする、請求項４に記載の時計用ムーブメント。
【請求項６】
遊星歯車列が、さらに、太陽歯車（５８）と係合しているが丸穴車（５４）の内歯とは係合していない一方向ピニオン（７４）を含み、遊星歯車（５６）のおよび一方向ピニオン（７４）の回転軸は香箱（５２）と連動していること、および、低エネルギー供給動作モードにおいて、丸穴車（５４）の三角形の外歯と共に働く制御フィンガ（６６）がこの歯の中に挿入され、丸穴車（５４）は不動状態にされ、そして遊星歯車（５６）は香箱（５２）の回転速度よりも高い回転速度で太陽歯車（５８）を回転駆動できることを特徴とする、請求項４に記載の時計用ムーブメント。
【請求項７】
トルク削減用装置は、比率Ｒだけトルクの削減を実施するように設計され寸法決定され、同じ比率Ｒだけパワーリザーブを増長させる効果を有することを特徴とする、請求項１〜６のいずれか一つに記載の時計用ムーブメント。
【請求項８】
トルク変更用装置は、このムーブメントを有する時計の外部からアクセス可能であり、手動操作が可能であることを特徴とする、請求項１〜７のいずれか一つに記載の時計用ムーブメント。
【請求項９】
トルク変更用装置は、自動操作されるように設計されていることを特徴とする、請求項１〜４のいずれか一つに記載の時計用ムーブメント。
【請求項１０】
時計用ムーブメントの状態、すなわち通常動作および延長パワーリザーブ動作が、このムーブメントを有する時計の外部から可視の針などによって標示されることを特徴とする、請求項１〜９のいずれか一つに記載の時計用ムーブメント。
【請求項１１】
拡張パワーリザーブに後続する時計用ムーブメントの延長動作を保証する方法であって、
−  様々な時計用ムーブメント機構を駆動するのに必要な時計用ムーブメント内のトルクの分配を決定するステップと；
−  トルクを削減しなくてはならない時計用ムーブメント機構を選択するステップと；
−  選択したトルクを、時計用ムーブメントの良好な動作をつねに保証する値まで削減するステップ、
を特徴とする方法。
【請求項１２】
トルクの分配を決定するステップが、Ｖａｒｉｏｃｏｕｐｌｅ機を用いて実施されることを特徴とする、請求項１１に記載の方法。
【請求項１３】
トルクが、香箱からムーブメントの様々な機構までエネルギーを伝達する歯車装置の変更によって削減されることを特徴とする、請求項１１に記載の方法。
【請求項１４】
トルクが比率Ｒだけ削減されることを特徴とする、請求項１１〜１３のいずれか一つに記載の方法。
【請求項１５】
トルクの削減が、請求項１〜１０のいずれか一つに記載の時計用ムーブメントを含む時計の外部から手動で実施されること、または、トルクの削減が自動で実施されることを特徴とする、請求項１１に記載の方法。
【請求項１６】
延長パワーリザーブのための請求項１〜１０のいずれか一つに記載の装置を含む、機械式時計。
【発明の詳細な説明】
【技術分野】
【０００１】
本発明は、例えば機械式時計に取付けられた拡張動作用のパワーリザーブを有する時計用ムーブメントに関する。詳細には、本発明は、動作パワーリザーブの持続時間を倍増するあるいはさらに一層拡張することのできるシステムを、好ましくは高水準のものである例えば腕時計、クロノグラフその他の、自動巻きまたは手巻き式時計の機械式時計に具備することを目的とする。
【背景技術】
【０００２】
機械式時計において、日付表示を含めた歯車列および針を駆動するためのエネルギー源は、香箱内の巻上げられたゼンマイバネである。
【０００３】
機械式時計が定期的に巻上げられない場合、あるいは、自動巻き時計が数時間にわたり着用されなかった場合、時計のバネは完全に弛緩し、時計は止まってしまう。こうして、時刻表示が止まるだけでなくカレンダー用の一つまたは複数の歯車による日付標示も止まることから、なお一層不都合を感じる。時計が充分に巻上げられているときの通常の時計の平均的な動作パワーリザーブは、約４０〜６０時間で完全に使い尽される。
【０００４】
時計が完全に停止するまでそのエネルギーを放出してしまう理由は、いくつかある。主な理由は、一方では時計を使用しないこと（ケース内に放置される、週末に着用されない、など）、あるいは非自動巻き時計の場合には単に巻上げるのを失念することにある。したがって、公知の時計の動作パワーリザーブを超えて拡張した、動作パワーリザーブを時計に具備することがきわめて望ましい。
【０００５】
過去に、機械式時計のこの欠点に対する取組みがすでに行われてきており、解決法が追求されてきた。例えば、スイス国特許第６９３１５５号明細書は、最初の２４時間または４８時間の動作中の駆動トルクの損失を可能なかぎり削減することによって、時計用ムーブメントのパワーリザーブを増長させることを目的としたものを言及している。この目的は二つの香箱を提供することによって達成され、それらは、同等の特性を有し、時計用ムーブメントを交互に駆動し、二つの香箱間のブロックスイッチにより交替で働く。
【０００６】
欧州特許出願第１１１８８９８２．０号明細書（欧州特許出願公開第２４５５８２０号明細書は、二つの重ね合わされた同軸のバネが内部に組立てられている香箱を含む、駆動機構の使用を提案している。
【０００７】
以上で引用したこれら二つの文書は、単に、二つの香箱または二つのバネを有する時計の例にすぎず、なぜならこれらの提案について数多くの刊行物が存在するからである。
【０００８】
動作の増長という問題を解決するためのこのような提案は、これらの解決法が、大まかには、エネルギー貯蔵を可能にする香箱を、所望されるパワーリザーブと同じ数量だけ導入することを提案するものであることから、あまり有利ではない。こうして、パワーリザーブは、利用可能な空間を犠牲にして増長させられる。
【０００９】
その上、現状技術では、時計用ムーブメント内のトルクの分配についての検討に関しては言及していない。すなわち、ムーブメント内のどこに異なるエネルギー需要があるかを未だ発見するに至っていない。対照的に、出願人は、香箱から針までのトルクの分析を追加の目的とした。
【発明の概要】
【発明が解決しようとする課題】
【００１０】
本発明の主要な目的は、著しく拡張された動作パワーリザーブを有する機械式時計のための時計用ムーブメント、ならびに、動作パワーリザーブの増長を達成するための方法である。さらに、本発明は、このようなムーブメントを内蔵した機械式時計に関する。
【００１１】
本発明は、さらに、時計のユーザーが通常動作と延長パワーリザーブ動作とで動作状態を手動式に変更できるようにすることを目的としている。同様に、現在の状態（通常パワーリザーブ−延長パワーリザーブ）を時計が標示することも考案されている。さらに、延長パワーリザーブ動作が時間基準を混乱させることがあってはならない。
【課題を解決するための手段】
【００１２】
本発明は、言及された目的の達成を可能にする。拡張されたパワーリザーブを有するムーブメントは、クレーム１で定義されており、一方このような動作パワーリザーブの増長を達成するための方法は、独立クレーム１１の対象となっている。機械式時計の定義は第三の独立クレーム１６に記載されている。
【００１３】
時計の時間測定の性能は、オシレータが大量のエネルギーを貯蔵している場合に改善される。すなわち、こうして混乱に対する時計の感度を低くする。時計が着用されていない場合、テンプに与えられるエネルギーを、パワーリザーブに有利な形で削減することを考案することができる。
【００１４】
出願人は、まず最初に、時計用ムーブメント内のトルクの分配を判定することを目的とした詳細な研究に着手した。歯車列の異なる構成要素ならびに時間表示および日付表示の駆動を詳細に検査して、最大のエネルギー消費の場所が判定された。日付用歯車装置を除いて、テンプが最も多くのエネルギーを必要とすることがわかった。これは、テンプが停止位置からゼンマイバネの力に対抗して加速されなければならず、その後テンプは（加えられた力がバネの力により無効にされた時点で）停止されなくてはならず、その後、初期位置に戻って、その位置で、脱進機が作動するようにテンプは再び停止させられるということから、当然理解できることである。
【００１５】
時計用ムーブメントのエネルギー需要の減少は、本発明によると、テンプの振れ角（振幅角度）の減少によって得られる。この減少は、本発明の特有の実施形態によると、速度比を中心香箱歯車装置のレベルまで変更することによって得ることができる。この速度比を増大させることにより、ガンギ車上のトルクは削減され、テンプの振幅は、パワーリザーブに有利な形で低下させられる。
【００１６】
現在のところ好まれていない、時計の動作パワーリザーブを延長させる別の可能性として、時計のバネを修正することが考えられ、このバネの一部分は通常動作時に使用され、非係合状態にとどまる別個のもう一方の部分は、「休止」状態が起動された時点で係合される。
【００１７】
香箱と中心車（中心）との間の歯車装置の比のそれぞれのおよび可逆的な変更は、複数の方法で達成可能である。これらの方法については、図面に関連づけた本発明の明細書の記述の中で説明される。
【００１８】
ただし、動作中の歯車の速度比変更の時点では、表示の混乱を防止し、時計の既存の機能との相容性を保証することが重要である。こうして、トルクの削減は、例えば日付表示の動作またはバネ力の克服などの複雑な機能を駆動するために必要な最小トルクによる制限を受ける。その上、通常動作モードでは、時間測定という側面が変更されてはならない。
【００１９】
出願人は同様に、テンプに伝達されるトルクの削減が、カレンダーの動作に対し何ら影響を及ぼさないことも指摘した。日付は常に正しく標示される。本発明に係るシステムのこの特徴は公知の時計の重大なデメリットを取り除くものであり、公知の時計では、パワーリザーブの枯渇に続く時計の停止後、日付の表示がもはや後続しないため、正しい日付をリセットしなければならず、これは時間のかかる面倒な作業である。
【００２０】
一方、低振幅のテンプを有する脱進機の働きにより、分針の遅延が或る程度発生し得るが、時間の設定調節は迅速かつ容易である。
【００２１】
本発明は、添付の図面を参考にした、特有のまたは好ましい実施形態の記述により、より良く説明される。
【図面の簡単な説明】
【００２２】
【図１】時計用ムーブメントの動作時間数との関係におけるテンプの振幅およびトルクを示すダイアグラムである。
【図２Ａ】香箱のまわりの時計用ムーブメントの通常動作モードの原理を示す図である。
【図２Ｂ】図２Ａの時計用ムーブメントの出力トルクが削減された動作モードの原理を示す図である。
【図３】通常動作モードと出力トルクが削減された動作モードとの変更の、別の原理を示す図である。
【図４Ａ】香箱のまわりの時計用ムーブメントの通常動作モードの第三の原理を示す図である。
【図４Ｂ】図４Ａの時計用ムーブメントの出力トルクが削減された動作モードの原理を示す図である。
【図５Ａ】図４Ａに係る装置の第一の実用的実現態様を概略的に示す図である。
【図５Ｂ】図４Ｂに係る装置の第一の実用的実現態様を概略的に示す図である。
【図６Ａ】図４Ａに係る装置の第二の実用的実現態様を概略的に示す図である。
【図６ＡＡ】歯車装置の挙動の詳細を示す図である。
【図６ＡＢ】歯車装置の挙動の詳細を示す図である。
【図６Ｂ】図４Ｂに係る装置の第二の実用的実現態様を概略的に示す図である。
【図７】図４Ａおよび図４Ｂに係る通常モードと削減モードとの切換えの実用的実現態様の概略的表示を示す図である。
【発明を実施するための形態】
【００２３】
図１は、香箱から与えられる、二番車上のｇ・ｍｍ単位のトルクと、時計のバネの巻上げ後の時計用ムーブメントの動作時間数との関係を示すダイアグラムである。同様にして、ダイアグラムの縦座標は、度単位でテンプの振れ角を示す。
【００２４】
出願人は、そのキャリバーの一つについて必要な測定を行なった。
【００２５】
通常動作中、与えられたトルクはそのとき１１２ｇ・ｍｍ（曲線ＣＰＬ  ｉｎｉ）で、テンプの振幅は２４０°（曲線Ａ  ｉｎｉ）であり、時計は９０時間の動作後に停止する。香箱と二番車（ＧＭ）との間に、例えば１．５倍のギヤ比で、増大した速度比が導入される場合には、トルクは７５ｇ・ｍｍまで降下し、テンプの振幅は２０５°まで降下して、これで既に、動作は１３５時間持続する。この条件は、曲線ＣＰＬ１．５（トルクについて）およびＡ１．５（時計用ムーブメントの振動振幅について）により表されている。
【００２６】
最後に、２．５倍のギヤ比を適用すると、４５ｇ・ｍｍの初期トルクおよび１６５°のテンプの振幅が測定される。このムーブメントはこのとき、ムーブメントの完全停止まで、およそ２２５時間の動作パワーリザーブを有すると測定されるが、使用可能リザーブは２００時間である。トルクについては曲線ＣＰＬ２．５を、そしてテンプの振幅については、曲線Ａ２．５を参照のこと。
【００２７】
この試験の条件を徹底的に分析すると、以下のデータが得られる。すなわち、パーペチュアルカレンダー（ＱＰ）を駆動するのに必要なトルクは３．０５ｇ・ｍｍである。しかしながら、考案された全ての構成について、動作リザーブ全体に利用可能なトルクは、１０ｇ・ｍｍ超である。
【００２８】
ギヤ比を有する構成については、メカニズムの効率を考慮に入れることが必要である。この上なく悲観的な４０％という効率（測定および計算された効率は約８０％であった）をその基準にしても、パーペチュアルカレンダー（ＱＰ）を駆動するための充分なトルクが常に得られる。
【００２９】
動作の全行程にわたって考えられる時計用ムーブメントの遅延を考慮することにより、２５０°から１２０°までのテンプ振幅の移行の影響として一日あたりおよそ２０秒の損失がもたらされると考えられ、１８０°から８５°までの移行ではおよそ２６秒の損失を生成することが指摘されている。
【００３０】
トルクの測定は、ＣＳＡ  Ｉｎｓｔｒｕｍｅｎｔｓ  Ｓ．Ａ．，Ｐｅｓｅｕｘ，ＳｗｉｔｚｅｒｌａｎｄのＶａｒｉｏｃｏｕｐｌｅ機を用いて実施された。
【００３１】
したがって、考案されている機構が、一週間さらにはそれ以上の時計動作用のリザーブを有する場合には、最大でも数分の損失が結果としてもたらされると考えられる。ユーザーは、時計が動作状態にありカレンダー標示が更新されていることを発見したら、数分間の時間の補正を行なうだけでよく、これは、パーペチュアルカレンダーの日付をリセットすることよりもはるかに簡単な手順である。
【００３２】
以下では、本発明に係る時計用ムーブメントの構造を実現するための三つの実施形態を提示する。これら三つの実施形態に関与していることは、香箱と中心車との間の速度比の変更を実施することである。
【００３３】
まず最初に、図２Ａは、時計用ムーブメントの従来の歯車装置の通常モードの原理を示している。香箱１２を横断する香箱真１９を伴う角穴車１０が識別できる。香箱の出力の軸１４は、丸穴車１１、中心ピニオン（太陽歯車）１８および複数の遊星歯車１７で構成された遊星歯車列２０の遊星歯車１７を支持するが、これらのうち一つのみが表示されている。この構成において、中心ピニオンの軸は、固定要素１５によりムーブメントとの関係において固定されており、歯車装置の出力１６は丸穴車１１により構成されている。
【００３４】
低エネルギー供給の実施形態は、図２Ｂに表されている。部品は図２Ａのものと同じであり、それらの符号には、１００が加えられている。例えば図２Ａ中の角穴車１０は、図２Ｂ中では角穴車１１０である。一方、この構成では、丸穴車１２０は固定要素１１５によりブロックされており、遊星歯車１１７は、出力１１６を形成する軸を有する中心車１１８に直接、その力を伝達する。歯車装置の機能におけるこの変更を通して、係合される車の歯の数に応じて、１．２５〜５に含まれる、香箱と二番車との間の比率の削減が、かなり簡単に得られる。この比率の変更は、出力速度の増倍、ひいてはテンプに伝達されるトルクの削減という効果をもたらす。
【００３５】
しかしながら、低エネルギー供給動作のこの実施形態の欠点は、遊星歯車列２０の出力が、動作モードに応じて異なるという点にある。当然のことながら、同じ軸上に遊星歯車列の出力をもってくるための技術的解決法は利用可能であるが、これは部品数、ひいては装置のコストならびに嵩高性を増大させる。
【００３６】
時計バネから与えられるトルクを変更するための第二の主要な実施形態が、図３に表されている。香箱３０は二つの車、すなわち、その上部面上の比較的小さい車３２とその下部面上の比較的大きい車３４とを担持し、二つの車の面は平行である。車３２および３４は、それぞれ二つの中心可動車３６または４０に交互に係合可能で、これらは、共通軸３８に固定された二つであり、その垂直方向間隔は香箱の二つの歯車３２および３４の垂直方向距離よりもわずかに大きい。この軸３８は、矢印４２によって標示されるとおりに、垂直方向に変位できる。
【００３７】
通常モードでは、小車３２は、中心の大車３６と係合される。中心可動車のアセンブリ３６、３８、４０が矢印４２によって標示されるとおりに持ち上げられた場合、中心の大車３６は係合解除された状態となり、中心の小車４０は香箱の大車３４と係合する。当然のことながら、ギヤ比３２／３６はこのとき、より高いものであるギヤ比３４／４０となり、動作パワーリザーブの持続時間が長くなるという効果をもたらす。
【００３８】
図３は、概略的なものにすぎない。関係する四つの車間には、他の任意の比が可能であると考えられる。
【００３９】
図４Ａおよび４Ｂは、時計のバネから与えられるトルクを変更するための第三の主要な実施形態を示す。使用される歯車は全て、概略的に示されている。
【００４０】
まず最初に、図４Ａを参照する。香箱５２はその上部部分に、軸６２と連動している車６１を介して動きを中心可動車（図示せず）に伝達することのできる歯５０を有する。丸穴車５４、遊星歯車５６（そのうち一つのみが図示されている）および太陽歯車５８で構成される遊星歯車装置が、香箱５２と歯５０との間に挿入されている。
【００４１】
通常モードにおける動作を表す図４Ａの配置において、香箱の歯５０と太陽歯車５８は連動していて、香箱の丸穴車５４は香箱５２と連動し、遊星歯車５６は香箱５２と連動している軸６４で枢動する。この構成では、香箱自身がほどける時に、遊星歯車５６は遊星歯車の回転軸を中心にして回転できない。したがって、全ては、あたかも要素５４、５６および５８が連動しいるかのように起こり、こうしてこれらは全て香箱５２と同じ速度で回転する。このとき、遊星歯車列は完全に見えなくなっている。こうして、香箱５２の歯５０も同様に、香箱と同じ速度で回転する。
【００４２】
図４Ｂは、低エネルギー供給モードでの動作のダイアグラムを示し、図４Ａに基づくものである。丸穴車５４はブロックされ、これはスタッド５５により表されている。この構成において、香箱５２の丸穴車５４はもはや香箱５２と連動しているのではなく、（受または地板に）固定されている。香箱自身がほどかれた時点で、それは遊星歯車５６を強制的に香箱の丸穴車５４上で回す。その動きの中で、遊星歯車５６は、遊星歯車列の寸法決定にしたがって、香箱５２の回転速度より大きい回転速度で太陽歯車５８を回転駆動する。こうして、遊星歯車列の速度比乗数はパワーリザーブを増長させ、相応して中心可動車に伝達されるトルクを削減する。
【００４３】
図５Ａおよび５Ｂは、時計のバネから与えられるトルクを変更するための、第三の主要な実施形態の実用的実現態様を示す。使用される歯車は、概略的にのみ示されている。
【００４４】
まず最初に、通常モードでの時計用ムーブメントの動作を示す図５Ａが参照される。香箱５２（図４参照）およびその歯５０など、当業者にとっては周知である一部の要素は表されていない。
【００４５】
香箱の丸穴車５４は、その最大直径上に三角形の歯を有する。この歯は爪６８と共働する。爪６８の回転軸ならびに遊星歯車５６の回転軸は、香箱と連動している。
【００４６】
香箱の丸穴車５４は、香箱と枢動連結状態にある。図示されていない中心可動車は、一時間で一回転する。以下の説明を理解するために、それを不動状態にあるとみなすものとする。
【００４７】
この構成では、香箱は、矢印７０が示す回転方向に自身がほどかれる（解放される）時、香箱の歯５０を介して、中心可動車と係合されているために不動である太陽歯車５８上で遊星歯車を強制的に回転させる。図４Ａを参照のこと。遊星歯車５６は自身を香箱の丸穴車５４と係合する。すなわち、遊星歯車列の寸法決定の結果として、丸穴車５４の回転速度は、香箱５２の回転速度よりも大きくなる。したがって、丸穴車５４の三角形の歯は、爪６８の片端部でブロックされる。
【００４８】
この状態に基づくと、爪６８、香箱の丸穴車５４ならびに遊星歯車５６は、香箱５２との関係において不動状態にある。遊星歯車列は見えなくなり、丸穴車５４も同様に、香箱５２と同じ角速度で回る。
【００４９】
爪を介した香箱上の丸穴車５４のブロッキング時間は、非常に短時間であることに言及しておくべきである。すなわちそれは、三角形の歯の角度ピッチの３分の１に相当する、香箱との関係における丸穴車の一回の相対的変位に対応する。
【００５０】
ここで低エネルギー供給モードでの動作を示す図５Ｂが参照される。
【００５１】
この構成では、制御フィンガ７２は香箱５２の丸穴車５４を不動状態にする。香箱は、自身がほどける時に、遊星歯車５６を強制的に香箱の丸穴車５４上で回す。この動きの中で、遊星歯車５６は、（遊星歯車列の寸法決定に応じて、）香箱５２の回転速度よりも大きい回転速度で太陽歯車５８を回転駆動する。爪６８は、丸穴車５４の三角形の歯上でわずかに振動するが、いかなる作用も有していない。
【００５２】
図５Ａおよび５Ｂは、３個の遊星歯車を示しているが、必要であるのは１個か２個だけである。
【００５３】
この実施形態は、第一の実施形態に比べ、厄介度も嵩高性も低い。したがって、香箱の丸穴車の三角形の外歯は、二つの別個の要素、すなわち丸穴車を不動状態にするための制御フィンガ７２、および丸穴車５４を香箱５２と連動させるための爪６８と協働する。
【００５４】
図６Ａ、６ＡＡ、６ＡＢおよび６Ｂは、図４Ａおよび４Ｂに基づいた本発明を実施するための第三の実施形態の、第二の実用的実現態様を示す。
【００５５】
まず最初に、時計用ムーブメントの通常動作モードを示す図６Ａが参照される。歯車装置は、香箱丸穴車５４、遊星歯車５６、太陽歯車５８、制御フィンガ６６および香箱５２を含む。さらに、一方向ピニオン７４が具備されており、これは太陽歯車５８と係合されている。
【００５６】
香箱の丸穴車５４は、図５Ａおよび５Ｂに係る実施形態の場合と同様に、香箱５２との関係において枢動連結状態にある。遊星歯車５６の軸および一方向ピニオン７４の軸は、香箱５２と連動している。太陽歯車５８は、機構の理解を簡略化するため、不動状態とみなすことができる。
【００５７】
香箱は、自身がほどける時に、一方向ピニオン７４を強制的に太陽歯車５８上で回転させる。このピニオンの幾何形状は、歯車装置の一方向の回転しか許容しない。これらの条件は、図６ＡＡおよび６ＡＢ中に簡単に表されている。太陽歯車５８が矢印Ｘに沿って時計回りに回転し、一方向ピニオン７４の歯によりブロックされていることは、図６ＡＡを見ればわかる。この構成では一つのブロッキング方向が存在する。すなわち、その状態に基づくと、一方向ピニオン７４、丸穴車５４および遊星歯車５６は、香箱５２との関係において不動状態にある。遊星歯車列は見えなくなり、丸穴車５４は同様に、香箱５２と同じ角速度で回転する。
【００５８】
一方、図６ＡＢでは、太陽歯車５８が、図６ＡＡとの関係においてもう一方の方向に回転していることを示しており、この構成では、一方向ピニオン７４が駆動されることが可能なため、遊星歯車列の一回転が可能であり、この回転が遊星歯車５６を介して丸穴車５４に伝達されて、そして丸穴車５４は香箱５２よりも低速で回転する。
【００５９】
図６Ｂは、低エネルギー供給モードでの時計用ムーブメントの動作を示す。制御フィンガ６６は、香箱丸穴車５４を不動状態にする。香箱５２は、自身がほどける際に、遊星歯車５６を強制的に香箱の丸穴車５４上で回す。この動きの中で、遊星歯車５６は、太陽歯車５８を、（遊星歯車列の寸法決定に応じて）香箱５２の回転速度よりも大きい回転速度で回転駆動する。
【００６０】
一方向ピニオン７４は空転し、いかなる作用も有していない。それは駆動されるものの、効果はない。
【００６１】
この構成は、この解決法に必要な構成要素が比較的少なく、かつ一方のモードから他方のモードに移行するための全ての動作が遊星歯車列のレベルで達成されるということから、第一の実施形態（図５Ａおよび５Ｂ）に比べて有利である。図５Ｂの場合においては、フィンガ６は爪６６の上を通過し、二つのレベルを必要とする。したがって、この解決法は、含まれる要素が比較的少なく、嵩高性が低い。
【００６２】
図４Ａと４Ｂにしたがった通常モードと低エネルギー供給モードとの切換えの別の実用的実現態様が、図７に表されている。地板上または受上に枢動可能な形で組立てられるのは、爪１５Ａ、１１５Ａと連動する二重歯スイッチ８０である。爪は、選択された位置に保持されている板バネ８８に取付けられている。爪はポインタ９０を含み、該ポインタは、外部から可視で、かつ、選択された爪の位置、すなわち通常動作（「通常」）または延長パワーリザーブ動作（「延長」）を示す。この位置は、レバー８６により、最終停止条件までもっていくことができ、該レバーは、時計の外部からアクセス可能であり、地板８２上を並進運動するように案内される。レバー８６により回転式に案内されるフィンガ８７は、切換え要素８０の面８０Ａおよび８０Ｂと協働することによって、状態の変更を実施する。フィンガ８７の回転は、地板８２上に固定されたフレーム８４により制限される。
【００６３】
以上のことから明らかになるように、本発明は、機械式時計の動作パワーリザーブを実質的に延長させるための単純で有効なシステムを提供する。本発明は、特に、単純な機械式時計に応用可能であるだけでなく、カレンダー標示、クロノグラフ、クロノメータなどの複雑な機能を伴う機械式時計にも同様に応用できる。
【００６４】
上述の時計製品全てに内蔵可能であるこの非常に薄く可視的でかつ識別が容易なシステムは、短時間または長時間にわたるパワーリザーブの制御を可能にし、時計は、目に見える損害無く、かつ休止期間全体を通してカレンダーが変わってしまうことなく、例えば、週末を過ごすことができる。ユーザーは所望するモードを選択でき、選択されたモードを時計から知ることができる。通常モードと拡張パワーリザーブモードとのこの変更は、手動式または自動式であり得る。
【００６５】
以上の記載に続いて、いくつかの考慮事項を追加しておかなければならない。
【００６６】
実際、香箱のバネの寸法を決定する場合には、バネの特徴（嵩高性、トルクの変動、巻上げ回数）とパワーリザーブの値との間の妥協点が必要である。出願人は、この装置を用いて、このパワーリザーブの値を有意に増長させることが可能であるということを示した。したがって、この基準はもはや、香箱のバネの寸法を決定する際に考慮すべき制約条件ではない。香箱のバネの寸法は、ムーブメントの所望の性能を達成するために最適化可能である。
【００６７】
本発明は、以上で記載され図中に表された、延長パワーリザーブを有する時計用ムーブメントの実施形態に限定されない。本発明の原理をひとたび認識した時点で、当業者であれば、好適な実施形態を発見することができる。このようなアプローチは、本特許により付与される保護範囲からの逸脱を構成するものではなく、本発明の適用分野は、請求項の内容によってのみ限定される。
【符号の説明】
【００６８】
１０    角穴車
１１    丸穴車
１２    香箱
１４    出力軸
１５    固定要素
１７    遊星歯車
１８    中心ピニオン
１９    香箱真
２０    遊星歯車列
３０    香箱
３２    車
３４    車
３６、４０    中心可動車
３８    共通軸
５０    歯
５２    香箱
５４    丸穴車
５５    スタッド
５６    遊星歯車
５８    太陽歯車
６１    車
６２    軸
６４    軸
６８    爪
７２    制御フィンガ
７４    一方向ピニオン
８０    二重歯スイッチ
８２    地板
８４    フレーム
８６    レバー
８７    フィンガ
８８    板バネ
９０    ポインタ
１５Ａ、１１５Ａ    爪
１１０    角穴車
１１５    固定要素
１１７    遊星歯車
【先行技術文献】
【特許文献】
【００６９】
【特許文献１】スイス国特許第６９３１５５号明細書
【特許文献２】欧州特許出願公開第２４５５８２０号明細書
【図１】
2014041127.tif 000003
【図２Ａ】
2014041127.tif 000004
【図２Ｂ】
2014041127.tif 000005
【図３】
2014041127.tif 000006
【図４Ａ】
2014041127.tif 000007
【図４Ｂ】
2014041127.tif 000008
【図５Ａ】
2014041127.tif 000009
【図５Ｂ】
2014041127.tif 000010
【図６Ａ】
2014041127.tif 000011
【図６ＡＡ】
2014041127.tif 000012
【図６ＡＢ】
2014041127.tif 000013
【図６Ｂ】
2014041127.tif 000014
【図７】
2014041127.tif 000015
【手続補正書】
【提出日】平成25年10月30日(2013.10.30)
【手続補正１】
【補正対象書類名】図面
【補正対象項目名】図４Ａ
【補正方法】変更
【補正の内容】
【図４Ａ】
2014041127.tif 000016
【手続補正２】
【補正対象書類名】図面
【補正対象項目名】図４Ｂ
【補正方法】変更
【補正の内容】
【図４Ｂ】
2014041127.tif 000017
【外国語明細書】
2014041127000001.pdf